(57)【要約】【課題】断熱性能の低下を抑制しつつ、仕切り体における結露の発生を抑制することができる冷蔵庫を提供する。【解決手段】本実施形態に係る冷蔵庫は、冷蔵庫本体に設けられた貯蔵室と、貯蔵室の開口部を開閉する複数の貯蔵室扉と、複数の貯蔵室扉が開口部を閉塞した閉塞状態において、複数の貯蔵室扉の間に位置する仕切り体と、仕切り体の内部に設けられる発熱体と、を備え、仕切り体は、発熱体が配置される発熱体配置部と、発熱体配置部以外の部分である非発熱体配置部と、を有し、発熱体配置部の熱伝導性が非発熱体配置部の熱伝導性よりも高くなっている。【選択図】図４
2020118304.tif 000002
【特許請求の範囲】
【請求項１】
冷蔵庫本体に設けられた貯蔵室と、
前記貯蔵室の開口部を開閉する複数の貯蔵室扉と、
複数の前記貯蔵室扉が前記開口部を閉塞した閉塞状態において、複数の前記貯蔵室扉の間に位置する仕切り体と、
前記仕切り体の内部に設けられる発熱体と、を備え、
前記仕切り体は、
前記発熱体が配置される発熱体配置部と、
前記発熱体配置部以外の部分である非発熱体配置部と、を有し、
前記発熱体配置部の熱伝導性が前記非発熱体配置部の熱伝導性よりも高くなっている冷蔵庫。
【請求項２】
前記発熱体配置部は、着磁性を有さない非着磁性の材料により構成されている請求項１に記載の冷蔵庫。
【請求項３】
前記発熱体配置部は、当該発熱体配置部が前記非発熱体配置部から抜けることを防止する抜け止め部を備えている請求項１または２に記載の冷蔵庫。
【請求項４】
前記発熱体配置部は、当該発熱体配置部から前記非発熱体配置部が離間することを防止する離間防止部を備えている請求項１から３の何れか１項に記載の冷蔵庫。
【請求項５】
前記発熱体配置部は、前記発熱体を収容する発熱体収容部を備えている請求項１から４の何れか１項に記載の冷蔵庫。
【請求項６】
前記発熱体を収容した前記発熱体収容部を閉塞する閉塞部材をさらに備える請求項５に記載の冷蔵庫。
【請求項７】
前記発熱体配置部の表面に突部が設けられている請求項１から６の何れか１項に記載の冷蔵庫。
【発明の詳細な説明】
【技術分野】
【０００１】
本実施形態は、冷蔵庫に関する。
【背景技術】
【０００２】
例えば特許文献１に開示されているように、冷蔵庫は、貯蔵室の一例である冷蔵室の開口部を開閉する貯蔵室扉を、いわゆる観音開き式の２つの冷蔵室扉で構成することが一般的である。そして、この種の冷蔵庫においては、２つの冷蔵室扉の一方の自由端部に仕切り体を設け、２つの冷蔵室扉が冷蔵室の開口部を閉塞した閉塞状態において、この仕切り体を２つの冷蔵室扉の間に位置させるようにしている。このように、冷蔵室の開口部が閉塞された閉塞状態において、仕切り体を２つの冷蔵室扉の間に位置させることにより、２つの冷蔵室扉の間からの冷気の漏洩を抑制することができる。よって、断熱性能の向上を図ることができる。
【先行技術文献】
【特許文献】
【０００３】
【特許文献１】特許第４８２１５２３号公報
【発明の概要】
【発明が解決しようとする課題】
【０００４】
ところで、近年では、仕切り体における結露の発生を防止するために、当該仕切り体の内部にヒータなどの発熱体を備えることが考えられている。しかしながら、この種の仕切り体は、例えば樹脂などの熱伝導性が低い部材を主体として構成されている。そのため、ヒータの熱が伝わりにくく、従って、結露の発生を十分に防止することが困難である。
【０００５】
また、仕切り体のうち特に結露を防止したい側、つまり、冷蔵室扉が開口部を閉塞した閉塞状態において冷蔵庫の前側となる面の全面を、例えば鉄板などの熱伝導性が高い部材で構成することが考えられている。この構成によれば、ヒータの熱が鉄板に伝わりやすくなり、従って、結露の発生を防止する効果を向上させることが期待できる。しかしながら、仕切り体のうち結露を防止したい側の面の全面を熱伝導性が高い部材で構成すると、仕切り体全体としての熱伝導性が高くなってしまう。そのため、庫内の冷気が仕切り体を介して庫外に漏洩しやすくなり、断熱性能が損なわれてしまうおそれがある。
【０００６】
そこで、本実施形態は、断熱性能の低下を抑制しつつ、仕切り体における結露の発生を抑制することができる冷蔵庫を提供する。
【課題を解決するための手段】
【０００７】
本実施形態に係る冷蔵庫は、冷蔵庫本体に設けられた貯蔵室と、前記貯蔵室の開口部を開閉する複数の貯蔵室扉と、複数の前記貯蔵室扉が前記開口部を閉塞した閉塞状態において、複数の前記貯蔵室扉の間に位置する仕切り体と、前記仕切り体の内部に設けられる発熱体と、を備えている。前記仕切り体は、前記発熱体が配置される発熱体配置部と、前記発熱体配置部以外の部分である非発熱体配置部と、を有している。そして、前記発熱体配置部の熱伝導性が前記非発熱体配置部の熱伝導性よりも高くなっている。
【図面の簡単な説明】
【０００８】
【図１】第１実施形態に係る冷蔵庫の構成例を概略的に示すものであって、複数の貯蔵室扉が貯蔵室の開口部を閉塞した状態例を示す平面図
【図２】第１実施形態に係る冷蔵庫の構成例を概略的に示すものであって、複数の貯蔵室扉が貯蔵室の開口部を開放した状態例を示す平面図
【図３】第１実施形態に係る仕切り体の一端部の構成例を概略的に示す斜視図
【図４】第１実施形態に係る仕切り体の構成例を概略的に示す横断平面図
【図５】第２実施形態に係る仕切り体の構成例を概略的に示す横断平面図
【図６】第３実施形態に係る仕切り体の構成例を概略的に示す横断平面図
【発明を実施するための形態】
【０００９】
以下、冷蔵庫に係る複数の実施形態について図面を参照しながら説明する。なお、複数の実施形態において実質的に同一の要素には同一の符号を付し、説明を省略する。
【００１０】
（第１実施形態）
図１および図２に例示する冷蔵庫１０は、その外郭を構成する矩形箱状の断熱箱体１１の内部に複数の貯蔵室を備えている。断熱箱体１１は、冷蔵庫１０の本体部を構成する冷蔵庫本体の一例であり、内箱と外箱との間に真空断熱パネルや発泡ウレタンなどの断熱材を備えた構成である。断熱箱体１１には、例えば食品類などの貯蔵物を収容する貯蔵室として、冷蔵温度帯に維持される冷蔵室１２が設けられている。また、詳しい図示は省略するが、断熱箱体１１には、貯蔵室として、さらに、冷蔵温度帯に維持される野菜室、冷凍温度帯に維持される冷凍室、小冷凍室、製氷室などの各種の貯蔵室が設けられている。
【００１１】
また、冷蔵庫１０は、冷蔵室１２の前面開口部１３を開閉する冷蔵室扉２１，２２を備えている。冷蔵室扉２１，２２は、断熱箱体１１の横方向、換言すれば、冷蔵室１２の横方向に沿って複数、この場合、２つに分割されており、いわゆる観音開き式の２つの扉により構成されている。冷蔵室扉２１，２２は、冷蔵室１２の前面開口部１３の左右の両端部に設けられている回動軸によって、矢印Ｒで例示するように左右方向に回動可能に支持されている。なお、詳しい図示は省略するが、冷蔵庫１０は、冷蔵室１２以外の貯蔵室についても、それぞれの前面開口部を開閉する、例えば引き出し式あるいは観音開き式の貯蔵室扉を備えている。
【００１２】
また、冷蔵室扉２１，２２の内面、この場合、冷蔵室扉２１，２２が冷蔵室１２の前面開口部１３を閉塞した閉塞状態において冷蔵室１２内側となる面には、冷蔵室１２内から庫外への冷気の漏洩を防止するためのガスケット２３が設けられている。ガスケット２３は、例えば変形可能な樹脂材料で構成されており、内部に空間を有している。
【００１３】
また、冷蔵庫１０は、冷蔵室扉２１，２２のうち一方に仕切り体３０を備えている。この場合、仕切り体３０は、冷蔵庫１０の正面側から見て左側に設けられている冷蔵室扉２１の自由端部において、回動軸３１によって横方向に回動可能に設けられている。また、仕切り体３０は、図１に例示する閉塞位置と、図２に例示する折り畳み位置と、の間で回動可能に設けられている。
【００１４】
図１に例示するように、閉塞位置に回動した仕切り体３０は、冷蔵室扉２１，２２が前面開口部１３を閉塞した閉塞状態において、冷蔵室扉２１の自由端部から冷蔵室扉２２側に向かって指向する。一方、図２に例示するように、折り畳み位置に回動した仕切り体３０は、冷蔵室扉２１の内面側に折り畳まれて、当該冷蔵室扉２１に直交する方向に指向する。
【００１５】
また、仕切り体３０は、図示しないコイルばねによって、折り畳み位置に回動する方向に付勢されている。そのため、仕切り体３０は、冷蔵室扉２１が開かれた場合には、図示しないコイルばねの付勢力によって折り畳み位置に自動的に回動するようになっている。また、仕切り体３０は、冷蔵室扉２１，２２が前面開口部１３を閉塞した閉塞状態においては、閉塞位置に回動して、これら冷蔵室扉２１，２２の間に位置するようになっている。
【００１６】
次に、この仕切り体３０の構成例について詳細に説明する。図３に例示するように、仕切り体３０は、上下方向に長い長尺な矩形状をなしており、その長手方向の一端部、この場合、上端部にガイド部３２を備えている。このガイド部３２は、例えばねじ止めなどによって仕切り体３０に固定されている。詳しくは後述するように、仕切り体３０は、その一部が金属製の仕切り板４３によって構成されている。そのため、この金属製の仕切り板４３においてガイド部３２のねじ止めを行うことにより、ガイド部３２を仕切り体３０に強固に固定することができる。
【００１７】
また、ガイド部３２は、例えば円弧状に延びるガイド溝３２ａを有している。冷蔵室扉２１が閉められる際には、冷蔵室１２の前面開口部１３の上端部から下方に突出する図示しない突起部がガイド部３２のガイド溝３２ａ内に進入する。そして、さらに冷蔵室扉２１が閉塞方向に回動されることに伴い、前面開口部１３側の突起部が円弧状のガイド溝３２ａ内を進行する。そして、このように前面開口部１３側の突起部が円弧状のガイド溝３２ａ内を進行することに伴い、仕切り体３０は、冷蔵室扉２１の内面側に折り畳まれた折り畳み位置から、冷蔵室扉２２側に指向する閉塞位置に回動するように案内されるようになっている。
【００１８】
図４に例示するように、仕切り体３０は、庫内側ケース部４１、庫外側ケース部４２、仕切り板４３、ヒータ４４、マグネット４５などを備えて構成されている。庫内側ケース部４１は、少なくとも金属材料よりも熱伝導性が低い樹脂材料により構成されている。庫内側ケース部４１は、長尺な矩形箱状に形成されている。また、庫内側ケース部４１の底面、この場合、冷蔵室扉２１，２２が前面開口部１３を閉塞した閉塞状態において庫内側となる面には、庫内側ケース部４１の長手方向に延びる複数のリブ４１ａが設けられている。
【００１９】
庫外側ケース部４２は、庫内側ケース部４１と同じく、少なくとも金属材料よりも熱伝導性が低い樹脂材料により構成されている。庫外側ケース部４２は、全体として、長尺な矩形板状に形成されており、その中央部には、庫外側ケース部４２の長手方向に延びる間隙部４２ａが設けられている。庫外側ケース部４２は、庫内側ケース部４１の開放部に取り付けられ、これにより、長尺な矩形状の仕切り体３０の筐体が構成されている。
【００２０】
また、仕切り体３０は、庫内側ケース部４１および庫外側ケース部４２により構成される筐体の内部に、例えば発泡ウレタンや真空断熱パネルなどの断熱材４６を収容した構成となっている。仕切り体３０は、これら庫内側ケース部４１および庫外側ケース部４２により、発熱体配置部以外の部分である非発熱体配置部の一例を構成している。
【００２１】
仕切り板４３は、発熱体配置部の一例であり、例えばアルミニウムなど、金属材料であって、且つ、着磁性を有さない非着磁性の材料によって構成されている。そのため、仕切り板４３の熱伝導性は、少なくとも、庫内側ケース部４１および庫外側ケース部４２の熱伝導性よりも高くなっている。仕切り板４３は、仕切り体３０の長手方向に沿って長尺に設けられており、庫外側ケース部４２の間隙部４２ａ内に取り付けられている。庫外側ケース部４２の間隙部４２ａに仕切り板４３が取り付けられた状態において、庫外側ケース部４２の表面と仕切り板４３の表面は、ほぼあるいは完全に面一となるように構成するとよい。
【００２２】
また、仕切り板４３は、その一部、この場合、冷蔵室扉２１，２２が前面開口部１３を閉塞した閉塞状態において庫内側となる部分に、ヒータ収容部４３ａを備えている。ヒータ収容部４３ａは、発熱体収容部の一例であり、この場合、ヒータ４４の一部を円弧状に切り欠いた形状となっている。また、ヒータ収容部４３ａは、仕切り体３０の内部に存在している。
【００２３】
ヒータ４４は、発熱体の一例であり、仕切り体３０の長手方向に沿って長尺に設けられている。また、ヒータ４４は、その断面形状が円形状となっている。このヒータ４４は、仕切り体３０の内部に設けられている。より具体的には、ヒータ４４は、仕切り体３０の内部において、仕切り板４３のヒータ収容部４３ａの内部に収容されている。この場合、ヒータ４４は、その一部、この場合、冷蔵室扉２１，２２が前面開口部１３を閉塞した閉塞状態において庫外側となる部分において、ヒータ収容部４３ａの内面に線接触あるいは面接触した状態で配置されている。
【００２４】
マグネット４５は、庫外側ケース部４２の内面側、この場合、冷蔵室扉２１，２２が前面開口部１３を閉塞した閉塞状態において庫内側となる面に設けられている。マグネット４５は、庫外側ケース部４２の間隙部４２ａを挟んで複数、この場合、２つ設けられている。マグネット４５は、冷蔵室１２の前面開口部１３を閉塞する冷蔵室扉２１，２２を吸着する機能を有している。
【００２５】
次に、仕切り板４３の細部の構成例について、さらに詳細に説明する。仕切り板４３のうち仕切り体３０の短手方向における両端部には、それぞれ嵌め込み構造部５０が設けられている。嵌め込み構造部５０は、凹部５１と凸部５２とを有している。凹部５１は、冷蔵室扉２１，２２が前面開口部１３を閉塞した閉塞状態において、庫内側から庫外側に向かって窪む凹形状となっている。また、凸部５２は、冷蔵室扉２１，２２が前面開口部１３を閉塞した閉塞状態において、庫外側から庫内側に向かって突出する凸形状となっている。また、嵌め込み構造部５０は、凹部５１が仕切り体３０の短手方向において内側、凸部５２が仕切り体３０の短手方向において外側に位置するように設けられている。
【００２６】
これに対して、庫外側ケース部４２の間隙部４２ａのうち仕切り体３０の短手方向における両端部には、仕切り板４３の嵌め込み構造部５０に対応するようにして、嵌め込み構造部６０が設けられている。嵌め込み構造部６０は、凹部６１と凸部６２とを有している。凹部６１は、冷蔵室扉２１，２２が前面開口部１３を閉塞した閉塞状態において、庫外側から庫内側に向かって窪む凹形状となっている。また、凸部６２は、冷蔵室扉２１，２２が前面開口部１３を閉塞した閉塞状態において、庫内側から庫外側に向かって突出する凸形状となっている。また、嵌め込み構造部６０は、凹部６１が仕切り体３０の短手方向において外側、凸部６２が仕切り体３０の短手方向において内側に位置するように設けられている。
【００２７】
庫外側ケース部４２の間隙部４２ａ内に仕切り板４３が配置された状態において、仕切り板４３側の嵌め込み構造部５０および庫外側ケース部４２側の嵌め込み構造部６０は、相互に嵌り込み合う。より具体的には、嵌め込み構造部５０の凸部５２は、嵌め込み構造部６０の凹部６１内に嵌り込み、嵌め込み構造部６０の凸部６２は、嵌め込み構造部５０の凹部５１内に嵌り込む。
【００２８】
仕切り体３０は、このように仕切り板４３側の嵌め込み構造部５０および庫外側ケース部４２側の嵌め込み構造部６０が相互に嵌り込み合うことにより、仕切り板４３が庫外側ケース部４２の間隙部４２ａから抜けてしまうことを抑制するようにしている。つまり、仕切り板４３側の嵌め込み構造部５０は、庫外側ケース部４２側の嵌め込み構造部６０と協働することにより、抜け止め部の一例として機能する。
【００２９】
また、仕切り体３０は、このように仕切り板４３側の嵌め込み構造部５０および庫外側ケース部４２側の嵌め込み構造部６０が相互に嵌り込み合うことにより、仕切り板４３から庫外側ケース部４２の間隙部４２ａが離間してしまうことを抑制するようにしている。つまり、仕切り板４３側の嵌め込み構造部５０は、庫外側ケース部４２側の嵌め込み構造部６０と協働することにより、離間防止部の一例としても機能する。
【００３０】
以上のように構成される仕切り体３０によれば、冷蔵室扉２１，２２が前面開口部１３を閉塞した閉塞状態において庫内側となる面は、その全面が熱伝導性が高い仕切り板４３で構成されているのではなく、その一部、つまり、ヒータ４４に対応する部分が仕切り板４３で構成され、その他の部分が仕切り板４３よりも熱伝導性が低い庫外側ケース部４２で構成された構造となっている。
【００３１】
本実施形態に係る冷蔵庫１０によれば、ヒータ４４が配置される仕切り板４３の熱伝導性が、仕切り板４３以外の部分である少なくとも庫外側ケース部４２の熱伝導性よりも高くなっている。この構成によれば、ヒータ４４の熱が仕切り板４３を介して伝わりやすくなり、従って、仕切り体３０のうち特に結露を防止したい側、つまり、冷蔵室扉２１，２２が冷蔵室１２の前面開口部１３を閉塞した閉塞状態において冷蔵庫１０の前側となる面における結露の発生を十分に抑制することができる。
【００３２】
また、仕切り体３０のうち特に結露を防止したい側の面において、仕切り板４３以外の部分は、仕切り板４３よりも熱伝導性が低い庫外側ケース部４２により構成されている。そのため、仕切り体３０全体としての熱伝導性が高くなり過ぎてしまうことを抑制することができ、庫内の冷気が仕切り体３０を介して庫外に漏洩することを防止することができる。従って、断熱性能の低下を抑制することができる。以上の通り、本実施形態に係る冷蔵庫１０によれば、断熱性能の低下を十分に抑制しつつ、仕切り体３０における結露の発生を十分に抑制することができる。
【００３３】
また、冷蔵庫１０によれば、仕切り板４３は、着磁性を有さない非着磁性の材料により構成されている。この構成によれば、仕切り板４３がマグネット４５によって着磁してしまうことを回避することができ、マグネット４５，４５の間、換言すれば、閉塞状態における冷蔵室扉２１のガスケット２３と冷蔵室扉２２のガスケット２３との間に、仕切り板４３を、磁力の影響を受けることなく配置することができる。なお、図４に例示するように、冷蔵室扉２１，２２が冷蔵室１２の前面開口部１３を閉塞した閉塞状態において、仕切り板４３の表面は、冷蔵室扉２１のガスケット２３と冷蔵室扉２２のガスケット２３との間に位置するように構成するとよい。また、このとき、仕切り板４３の表面にガスケット２３が接触しないよう、ガスケット２３は、仕切り板４３の表面よりも極力外側に位置するように構成するとよい。
【００３４】
また、冷蔵庫１０によれば、仕切り板４３は、仕切り板４３が庫外側ケース部４２の間隙部４２ａから抜けることを防止するための嵌め込み構造部５０を備えている。この構成によれば、仕切り体３０から仕切り板４３が抜けてしまうことを抑制することができ、信頼性の高い構成を提供することができる。
【００３５】
また、冷蔵庫１０によれば、仕切り板４３は、仕切り板４３から庫外側ケース部４２の間隙部４２ａが離間することを防止するための嵌め込み構造部５０を備えている。ここで、庫外側ケース部４２と仕切り板４３は、それぞれ異なる材料で構成されており、熱に対する膨張率や冷気に対する収縮率が異なっている。そのため、特に庫外側ケース部４２が収縮し過ぎると、仕切り板４３から庫外側ケース部４２の間隙部４２ａが離間してしまうおそれがある。仕切り板４３から庫外側ケース部４２の間隙部４２ａが離間してしまうと、仕切り体３０に隙間が形成されることになり、断熱性能が損なわれるおそれがある。
【００３６】
冷蔵庫１０によれば、仕切り板４３側の嵌め込み構造部５０および庫外側ケース部４２側の嵌め込み構造部６０により、仕切り板４３から庫外側ケース部４２の間隙部４２ａが離間してしまうことを抑制することができる。そのため、仕切り体３０に隙間が形成されて断熱性能が損なわれてしまうことを回避することができる。
【００３７】
また、冷蔵庫１０によれば、仕切り板４３は、ヒータ４４を収容するためのヒータ収容部４３ａを備えている。この構成によれば、仕切り板４３にヒータ４４を安定した状態で配置することができる。また、仕切り板４３の一部であるヒータ収容部４３ａにヒータ４４を接触させることで、ヒータ４４の熱を仕切り板４３に効率良く伝えることができ、結露の発生を一層防止することができる。
【００３８】
（第２実施形態）
図５に例示するように、第２実施形態では、冷蔵庫１０は、さらに閉塞部材７１を備えている。閉塞部材７１は、例えばアルミニウムなど、金属材料であって、且つ、着磁性を有さない非着磁性の材料によって構成されている。この場合、閉塞部材７１は、薄いシート状に形成されており、ヒータ４４を収容したヒータ収容部４３ａの開口部を閉塞している。
【００３９】
第２実施形態に係る冷蔵庫１０によれば、閉塞部材７１によって、ヒータ４４をヒータ収容部４３ａ内に一層安定した状態で強固に固定することができる。また、閉塞部材７１は、熱伝導性が高い金属材料により形成されている。そのため、ヒータ４４の熱が、この閉塞部材７１を介しても仕切り板４３に伝わるようになり、結露の発生を一層防止することができる。なお、ヒータ４４を閉塞部材７１に接触させるように構成することで、閉塞部材７１を介した伝熱を一層促進することができ、また、ヒータ４４の固定性を一層高めることができる。
【００４０】
（第３実施形態）
図６に例示するように、第３実施形態では、冷蔵庫１０は、仕切り板４３の表面に突部４３ｂを備えている。この突部４３ｂは、仕切り板４３に一体成形されたものであり、この場合、その断面が円弧状となる形状をなしている。この構成によれば、突部４３ｂが追加された分、仕切り板４３の表面積、換言すれば、熱を放出する放熱面積を大きくすることができる。従って、仕切り板４３からの放熱性を一層高めることができ、結露の発生を一層抑制することができる。なお、突部４３ｂの形状は、断面円弧状に限られるものではなく、例えば断面三角形状など種々の形状を採用することができる。また、突部４３ｂは、１つに限られるものではなく、仕切り板４３の表面に複数の突部４３ｂを備える構成としてもよい。
【００４１】
（その他の実施形態）
なお、本実施形態は、上述した複数の実施形態に限定されるものではなく、その要旨を逸脱しない範囲で、種々の変形または拡張をすることができる。例えば、上述した複数の実施形態を適宜組み合わせて実施してもよい。また、ヒータ収容部４３ａ内に、複数のヒータ４４を備える構成としてもよい。また、ヒータ収容部４３ａの切欠き形状をヒータ４４により密着する形状とすることにより、ヒータ４４から仕切り板４３への伝熱性、ヒータ４４の固定性の一層の向上を図ることができる。庫内側ケース部４１、庫外側ケース部４２、仕切り板４３などを形成する材料は、仕切り板４３の熱伝導性が庫内側ケース部４１、庫外側ケース部４２などの非発熱体配置部の熱伝導性よりも高いという条件を満たす限り、それぞれ種々の材料を採用することができる。また、閉塞部材７１を形成する材用も、種々の材料を採用することができる。
【００４２】
以上、本発明の複数の実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００４３】
図面中、１０は冷蔵庫、１１は断熱箱体（冷蔵庫本体）、１２は冷蔵室（貯蔵室）、１３は前面開口部（開口部）、２１，２２は冷蔵室扉（貯蔵室扉）、３０は仕切り体、４１は庫内側ケース部（非発熱体配置部）、４２は庫外側ケース部（非発熱体配置部）、４３は仕切り板（発熱体配置部）、４３ａはヒータ収容部（発熱体収容部）、４３ｂは突部、４４はヒータ（発熱体）、５０は嵌め込み構造部（抜け止め部、離間防止部）、７１は閉塞部材を示す。
【図１】
2020118304.tif 000003
【図２】
2020118304.tif 000004
【図３】
2020118304.tif 000005
【図４】
2020118304.tif 000006
【図５】
2020118304.tif 000007
【図６】
2020118304.tif 000008